【手続補正書】
【提出日】平成19年8月28日(2007.8.28)
【手続補正１】
【補正対象書類名】明細書
【補正対象項目名】特許請求の範囲
【補正方法】変更
【補正の内容】
【特許請求の範囲】
【請求項１】 オートマチックテープガンと協働するトランスファーテープの巻物であって、該テープは、 ライナー側表面および露出側表面を有する接着剤層と、 前記接着剤層のライナー側表面に接着している離型ライナーとを含み、前記接着剤層の厚さおよび前記離型ライナーは、テープの巻物がおよそ３．１８７５インチの標準外径を有し、テープの長さと標準的な１．３７５インチの巻き芯上にある巻物との直径の比が実質的に約４００：１より大きくなるように選択され、それによって、延長された長さのテープを標準的なテープガン上で使用してテープの巻物の交換回数を最小限にすることができることを特徴とするトランスファーテープの巻物。
【請求項２】 請求項１に記載のオートマチックテープガンと協働するトランスファーテープの巻物であって、テープの長さと巻物の直径の比が約５００：１より大きいことを特徴とするトランスファーテープの巻物。
【請求項３】 請求項２に記載のオートマチックテープガンと協働するトランスファーテープの巻物であって、テープの長さと巻物の直径の比が約５５０：１より大きいことを特徴とするトランスファーテープの巻物。
【請求項４】 請求項１に記載のオートマチックテープガンと協働するトランスファーテープの巻物であって、前記離型ライナーが２ミル以下の厚さを有することを特徴とするトランスファーテープの巻物。
【請求項５】 請求項１に記載のオートマチックテープガンと協働するトランスファーテープの巻物であって、前記接着剤層は支持体のない接着剤層であることを特徴とするトランスファーテープの巻物。
【請求項６】 請求項５に記載のオートマチックテープガンと協働するトランスファーテープの巻物であって、前記接着剤層のライナー側表面と露出側表面の少なくとも一方が補強されていることを特徴とするトランスファーテープの巻物。
【請求項７】 請求項６に記載のオートマチックテープガンと協働するトランスファーテープの巻物であって、ガラス粒子がライナー側表面および露出側表面の近くの前記接着剤層中にあって、それにより、補強および所望する粘着性および接着性をそれら表面に提供していることを特徴とするトランスファーテープの巻物。
【請求項８】 請求項１に記載のオートマチックテープガンと協働するトランスファーテープの巻物であって、テープが芯に逆巻きされていることを特徴とするトランスファーテープの巻物。
【請求項９】 請求項１に記載のオートマチックテープガンと協働するトランスファーテープの巻物であって、前記離型ライナーが重合フィルムであることを特徴とするトランスファーテープの巻物。
【請求項１０】 請求項９に記載のオートマチックテープガンと協働するトランスファーテープの巻物であって、前記離型ライナーが２ミル以下の厚さを有することを特徴とするトランスファーテープの巻物。
【請求項１１】 請求項１に記載のテープであって、前記接着剤層が、第１の面と第２の面を有する担体を含み、それぞれが接着剤をその上に有し、第１面の接着剤は、前記接着剤層のライナー側表面を形成し、第２面の接着剤は、前記接着剤層の露出側表面を形成することを特徴とするテープ。
【請求項１２】 請求項１１に記載のテープであって、担体の厚さが約１／２ミル未満であることを特徴とするテープ。
【請求項１３】 請求項１２に記載のテープであって、担体が重合フィルム製であることを特徴とするテープ。
【請求項１４】 オートマチックテープガンと協働するトランスファーテープの巻物であって、該テープは、 ライナー側表面および露出側表面を有する接着剤層と、 前記接着剤層のライナー側表面に接着している離型ライナーとを含み、前記接着剤層の厚さおよび前記離型ライナーは、テープの巻物がおよそ４．３１２５インチの標準外径を有し、テープの長さと標準的な１．３７５インチの巻き芯上にある巻物との直径の比が実質的に約５００：１より大きくなるように選択され、それによって、延長された長さのテープを標準的なテープガン上で使用してテープの巻物の交換回数を最小限にすることができることを特徴とするトランスファーテープの巻物。
【請求項１５】 請求項１４に記載のオートマチックテープガンと協働するトランスファーテープの巻物であって、テープの長さと巻物の直径の比が約６５０：１より大きいことを特徴とするトランスファーテープの巻物。
【請求項１６】 請求項１５に記載のオートマチックテープガンと協働するトランスファーテープの巻物であって、テープの長さと巻物の直径の比が約８００：１より大きいことを特徴とするトランスファーテープの巻物。
【請求項１７】 請求項１４に記載のオートマチックテープガンと協働するトランスファーテープの巻物であって、前記離型ライナーが２ミル以下の厚さを有することを特徴とするトランスファーテープの巻物。
【請求項１８】 請求項１４に記載のオートマチックテープガンと協働するトランスファーテープの巻物であって、前記接着剤層は支持体のない接着剤層であることを特徴とするトランスファーテープの巻物。
【請求項１９】 請求項１８に記載のオートマチックテープガンと協働するトランスファーテープの巻物であって、前記接着剤層のライナー側表面と露出側表面の少なくとも一方が補強されていることを特徴とするトランスファーテープの巻物。
【請求項２０】 請求項１９に記載のオートマチックテープガンと協働するトランスファーテープの巻物であって、ガラス粒子がライナー側表面および露出側表面の近くの前記接着剤層中にあって、それにより、その補強および所望する粘着性および接着性をそれら表面に提供していることを特徴とするトランスファーテープの巻物。
【請求項２１】 請求項１４に記載のオートマチックテープガンと協働するトランスファーテープの巻物であって、テープが芯に逆巻きされていることを特徴とするトランスファーテープの巻物。
【請求項２２】 請求項１４に記載のオートマチックテープガンと協働するトランスファーテープの巻物であって、前記離型ライナーが重合フィルムであることを特徴とするトランスファーテープの巻物。
【請求項２３】 請求項２２に記載のオートマチックテープガンと協働するトランスファーテープの巻物であって、前記離型ライナーが２ミル以下の厚さを有することを特徴とするトランスファーテープの巻物。
【請求項２４】 請求項１４に記載のテープであって、接着剤層が、第１の面と第２の面を有する担体を含み、それぞれが接着剤をその上に有し、第１の面の接着剤は、接着剤層のライナー側表面を形成し、第２の面の接着剤は、接着剤層の露出側表面を形成することを特徴とするテープ。
【請求項２５】 請求項２４に記載のテープであって、担体の厚さが約１／２ミル未満であることを特徴とするテープ。
【請求項２６】 請求項２５に記載のテープであって、担体が重合フィルム製であることを特徴とするテープ。
【請求項２７】 オートマチックテープガンと協働するトランスファーテープの巻物であって、該テープは、 ライナー側表面および露出側表面を有する接着剤層と、 前記接着剤層のライナー側表面に接着している離型ライナーとを含み、前記接着剤層の厚さおよび前記離型ライナーは、１インチ長さのテープについてのテープの長さに対するテープの厚さの比が実質的に約１９５：１より大きくなるように選択され、それによって、延長した長さのテープを標準的なテープガン上で使用してテープの巻物の交換回数を最小限にすることができることを特徴とするトランスファーテープの巻物。
【請求項２８】 請求項２７に記載のオートマチックテープガンと協働するトランスファーテープの巻物であって、１インチ長さのテープについてのテープの長さに対するテープの厚さの比が約２７０：１より大きいことを特徴とするトランスファーテープの巻物。
【請求項２９】 請求項２７に記載のオートマチックテープガンと協働するトランスファーテープの巻物であって、１インチ長さのテープについてのテープの長さに対するテープの厚さの比が約３７０：１より大きいことを特徴とするトランスファーテープの巻物。
【請求項３０】 請求項２７に記載のオートマチックテープガンと協働するトランスファーテープの巻物であって、離型ライナーが２ミル以下の厚さを有することを特徴とするトランスファーテープの巻物。
【請求項３１】 請求項２７に記載のオートマチックテープガンと協働するトランスファーテープの巻物であって、前記接着剤層は支持体のない接着剤層であることを特徴とするトランスファーテープの巻物。
【請求項３２】 請求項３１に記載のオートマチックテープガンと協働するトランスファーテープの巻物であって、前記接着剤層のライナー側表面と露出側表面の少なくとも一方が補強されていることを特徴とするトランスファーテープの巻物。
【請求項３３】 請求項３２に記載のオートマチックテープガンと協働するトランスファーテープの巻物であって、ガラス粒子がライナー側表面および露出側表面の近くの前記接着剤層中にあって、それにより、補強および所望する粘着性および接着性をそれら表面に提供していることを特徴とするトランスファーテープの巻物。
【請求項３４】 請求項２７に記載のオートマチックテープガンと協働するトランスファーテープの巻物であって、テープが芯に逆巻きされていることを特徴とするトランスファーテープの巻物。
【請求項３５】 請求項２７に記載のオートマチックテープガンと協働するトランスファーテープの巻物であって、前記離型ライナーが重合フィルムであることを特徴とするトランスファーテープの巻物。
【請求項３６】 請求項３５に記載のオートマチックテープガンと協働するトランスファーテープの巻物であって、前記離型ライナーが２ミル以下の厚さを有することを特徴とするトランスファーテープの巻物。
【請求項３７】 請求項２７に記載のテープであって、前記接着剤層が、第１の面と第２の面を有する担体を含み、それぞれが接着剤をその上に有し、第１の面の接着剤は前記接着剤層のライナー側表面を形成し、第２の面の接着剤は前記接着剤層の露出側表面を形成することを特徴とするテープ。
【請求項３８】 請求項３７に記載のテープであって、担体の厚さが約１／２ミル未満であることを特徴とするテープ。
【請求項３９】 請求項３８に記載のテープであって、担体が重合フィルム製であることを特徴とするテープ。